(57)【要約】【課題】光学系を設計する際の自由度に特に制限を与えることなく対物レンズの切り替えを円滑に行い得る光ピックアップ装置を提供する。【解決手段】ミラー１１１は、λ／４板１１０から入射されるレーザ光の光軸方向に変位可能に、アクチュエータ２０１によって駆動される。半導体レーザ１０１または１０２が発光状態にあるとき、ミラー１１１は、実線の位置に位置づけられる。これにより、半導体レーザ１０１、１０２から出射されたレーザ光（赤外波長、赤色波長）は、ミラー１１１によって、対物レンズ１１４に向けて反射される。半導体レーザ１０３が発光状態にあるとき、ミラー１１１は、アクチュエータ２０１の駆動に応じて破線位置に位置づけられる。これにより、半導体レーザ１０３から出射されたレーザ光（青色波長）は、ミラー１１１によって、対物レンズ１１５に向けて反射される。【選択図】図１
2007257777.tif 000002
【特許請求の範囲】
【請求項１】
レーザ光を出射する光源と、
前記レーザ光を反射することにより前記レーザ光の光路を変更するミラーと、
前記ミラーに入射する前記レーザ光の光軸に沿って変位可能に前記ミラーを駆動するアクチュエータと、
中心軸が互いに平行となるように配され且つ前記ミラーが対応する変位位置に位置する際に当該ミラーによって反射された前記レーザ光がそれぞれ入射される複数の対物レンズとを有する、
ことを特徴とする光ピックアップ装置。
【請求項２】
波長の異なるレーザ光をそれぞれ出射する複数の光源と、
前記各レーザ光の光軸が互いに平行となるよう前記各レーザ光の光路を調整する光路調整素子と、
前記光路が調整された各レーザ光をそれぞれ反射することによりこれらレーザ光の光路を変更するミラーと、
前記ミラーに入射する前記各レーザ光の光軸に沿って変位可能に前記ミラーを駆動するアクチュエータと、
中心軸が互いに平行となるように配され且つ前記ミラーが対応する変位位置に位置する際に当該ミラーによって反射された前記レーザ光がそれぞれ入射される複数の対物レンズとを有する、
ことを特徴とする光ピックアップ装置。
【請求項３】
請求項２において、
前記光路調整素子は、前記各レーザ光の光路を互いに整合させる、
ことを特徴とする光ピックアップ装置。
【請求項４】
波長の異なる複数種類のレーザ光を同一方向に出射する光源と、
前記各レーザ光をそれぞれ反射することによりこれらレーザ光の光路を変更するミラーと
前記ミラーに入射する前記各レーザ光の光軸に沿って変位可能に前記ミラーを駆動するアクチュエータと、
中心軸が互いに平行となるように配され且つ前記ミラーが対応する変位位置に位置する際に当該ミラーによって反射された前記レーザ光がそれぞれ入射される複数の対物レンズとを有する、
ことを特徴とする光ピックアップ装置。
【請求項５】
請求項４において、
前記波長の異なるレーザ光の光路を互いに整合させる光学素子をさらに有する、
ことを特徴とする光ピックアップ装置。
【請求項６】
レーザ光を出射する光源と、
前記ミラーに入射する前記レーザ光の光軸に沿って配され且つ前記レーザ光を反射することにより前記レーザ光の光路を変更する複数のミラーと、
前記レーザ光の光路に挿脱されるよう前記ミラーを駆動するアクチュエータと、
中心軸が互いに平行となるように配され且つ前記複数のミラーのうち対応するミラーによって反射された前記レーザ光がそれぞれ入射される複数の対物レンズとを有する、
ことを特徴とする光ピックアップ装置。
【請求項７】
波長の異なるレーザ光をそれぞれ出射する複数の光源と、
前記各レーザ光の光軸が互いに平行となるよう前記各レーザ光の光路を調整する光路調整素子と、
前記光路が調整された各レーザ光の光軸に沿って配され且つ前記レーザ光を反射することにより前記レーザ光の光路を変更する複数のミラーと、
前記レーザ光の光路に挿脱されるよう前記ミラーを駆動するアクチュエータと、
中心軸が互いに平行となるように配され且つ前記複数のミラーのうち対応するミラーによって反射された前記レーザ光がそれぞれ入射される複数の対物レンズとを有する、
ことを特徴とする光ピックアップ装置。
【請求項８】
請求項７において、
前記光路調整素子は、前記各レーザ光の光路を互いに整合させる、
ことを特徴とする光ピックアップ装置。
【請求項９】
波長の異なる複数種類のレーザ光を同一方向に出射する光源と、
これらレーザ光の光軸に沿って配され且つ前記レーザ光を反射することにより前記レーザ光の光路を変更する複数のミラーと、
前記レーザ光の光路に挿脱されるよう前記ミラーを駆動するアクチュエータと、
中心軸が互いに平行となるように配され且つ前記複数のミラーのうち対応するミラーによって反射された前記レーザ光がそれぞれ入射される複数の対物レンズとを有する、
ことを特徴とする光ピックアップ装置。
【請求項１０】
請求項９において、
前記波長の異なるレーザ光の光路を互いに整合させる光学素子をさらに有する、
ことを特徴とする光ピックアップ装置。
【発明の詳細な説明】
【技術分野】
【０００１】
本発明は、光ピックアップ装置に関するものであり、特に、２つ以上の対物レンズが配された互換型の光ピックアップ装置に用いて好適なものである。
【背景技術】
【０００２】
波長の異なる複数種類のレーザ光を用いる互換型光ピックアップでは、２つ以上の対物レンズを用いる方式が考えられる。この場合、レーザ光を何れの対物レンズに導くかを適宜設定できる構成が光学系内に必要となる。この構成として、たとえば、以下の特許文献１に示す構成を用いることができる。
【０００３】
図９は、青色、赤色および赤外波長のレーザ光をディスクに導く互換型光ピックアップにこの構成を採用したときの光学系の構成例である。
【０００４】
図において、１１、１２および１３は、それぞれ、赤外波長（７８０ｎｍ程度）、赤色波長（６５０ｎｍ程度）および青色波長（４００ｎｍ程度）のレーザ光を発する半導体レーザである。各波長のレーザ光は、コリメータレンズ１４、１５、１６によって平行光に変換された後、ダイクロプイズム１７、１８を介して、偏光変換素子１９に入射される。これらレーザ光のうち、赤外波長および赤色波長のレーザ光は、偏光切り替え素子１９によって、偏光ビームスプリッタ２０にて略全反射される偏光面とされ、青色波長のレーザ光は、偏光切り替え素子１９によって、偏光ビームスプリッタ２０を略全透過する偏光面とされる。
【０００５】
偏光ビームスプリッタ２０によって反射されたレーザ光（赤外色／赤色）は、λ／４板２２にて円偏光に変換された後、開口制限素子２４に入射される。開口制限素子２４は、赤外波長のレーザ光に対してのみ開口制限作用を付与する。しかる後、レーザ光（赤外色／赤色）は、対物レンズ２５によってディスク上に収束される。
【０００６】
偏光ビームスプリッタ２０を透過したレーザ光（青色）は、ミラー２１によって反射された後、λ／４板２２にて円偏光に変換される。しかる後、レーザ光（青色）は、対物レンズ２６によってディスク上に収束される。
【０００７】
ディスクからの反射光は、λ／４板２２を再び通過することにより、ディスク入射時の偏光方向に直交する直線偏光に変換される。したがって、ディスクからの反射光のうち赤外および赤色波長の反射光は偏光ビームスプリッタ２０を透過し、青色波長のレーザ光は偏光ビームスプリッタ２０によって反射される。これにより、各波長の反射光は、それぞれ、集光レンズ２７によって光検出器２８上に収束される。
【特許文献１】特開平９−２１２９０５号公報
【発明の開示】
【発明が解決しようとする課題】
【０００８】
しかし、図９の構成例によれば、偏光ビームスプリッタ２０の配置が対物レンズ２５の真下に固定されるため、光学系を設計する際の自由度が制限されるとの問題が生じる。また、図９の構成例では、対物レンズ２５および２６の間隔を、偏光ビームスプリッタ２０とミラー２１間の最小配置間隔よりも小さくすることができない。このため、光学系の小型化に一定の制約が課されるとの問題が生じる。
【０００９】
そこで、本発明は、光学系を設計する際の自由度に特に制限を与えることなく対物レンズの切り替えを円滑に行い得る光ピックアップ装置を提供することを課題とする。加えて、対物レンズ間の間隔をより小さくすることができる光ピックアップ装置を提供することを課題とする。
【課題を解決するための手段】
【００１０】
上記課題に鑑み本発明は、以下の特徴を有する。
【００１１】
請求項１の発明は、光ピックアップ装置において、レーザ光を出射する光源と、前記レーザ光を反射することにより前記レーザ光の光路を変更するミラーと、前記ミラーに入射する前記レーザ光の光軸に沿って変位可能に前記ミラーを駆動するアクチュエータと、中心軸が互いに平行となるように配され且つ前記ミラーが対応する変位位置に位置する際に当該ミラーによって反射された前記レーザ光がそれぞれ入射される複数の対物レンズとを有することを特徴とする。
【００１２】
請求項２の発明は、光ピックアップ装置において、波長の異なるレーザ光をそれぞれ出射する複数の光源と、前記各レーザ光の光軸が互いに平行となるよう前記各レーザ光の光路を調整する光路調整素子と、前記光路が調整された各レーザ光をそれぞれ反射することによりこれらレーザ光の光路を変更するミラーと、前記ミラーに入射する前記各レーザ光の光軸に沿って変位可能に前記ミラーを駆動するアクチュエータと、中心軸が互いに平行となるように配され且つ前記ミラーが対応する変位位置に位置する際に当該ミラーによって反射された前記レーザ光がそれぞれ入射される複数の対物レンズとを有することを特徴とする。
【００１３】
請求項３の発明は、請求項２に記載の光ピックアップ装置において、前記光路調整素子は、前記各レーザ光の光路を互いに整合させることを特徴とする。
【００１４】
請求項４の発明は、光ピックアップ装置において、波長の異なる複数種類のレーザ光を同一方向に出射する光源と、前記各レーザ光をそれぞれ反射することによりこれらレーザ光の光路を変更するミラーと、前記ミラーに入射する前記各レーザ光の光軸に沿って変位可能に前記ミラーを駆動するアクチュエータと、中心軸が互いに平行となるように配され且つ前記ミラーが対応する変位位置に位置する際に当該ミラーによって反射された前記レーザ光がそれぞれ入射される複数の対物レンズとを有することを特徴とする。
【００１５】
請求項５の発明は、請求項４に記載の光ピックアップ装置において、前記波長の異なるレーザ光の光路を互いに整合させる光学素子をさらに有することを特徴とする。
【００１６】
請求項６の発明は、光ピックアップ装置において、レーザ光を出射する光源と、前記ミラーに入射する前記レーザ光の光軸に沿って配され且つ前記レーザ光を反射することにより前記レーザ光の光路を変更する複数のミラーと、前記レーザ光の光路に挿脱されるよう前記ミラーを駆動するアクチュエータと、中心軸が互いに平行となるように配され且つ前記複数のミラーのうち対応するミラーによって反射された前記レーザ光がそれぞれ入射される複数の対物レンズとを有することを特徴とする。
【００１７】
請求項７の発明は、光ピックアップ装置において、波長の異なるレーザ光をそれぞれ出射する複数の光源と、前記各レーザ光の光軸が互いに平行となるよう前記各レーザ光の光路を調整する光路調整素子と、前記光路が調整された各レーザ光の光軸に沿って配され且つ前記レーザ光を反射することにより前記レーザ光の光路を変更する複数のミラーと、前記レーザ光の光路に挿脱されるよう前記ミラーを駆動するアクチュエータと、中心軸が互いに平行となるように配され且つ前記複数のミラーのうち対応するミラーによって反射された前記レーザ光がそれぞれ入射される複数の対物レンズとを有することを特徴とする。
【００１８】
請求項８の発明は、請求項７に記載の光ピックアップ装置において、前記光路調整素子は、前記各レーザ光の光路を互いに整合させることを特徴とする。
【００１９】
請求項９の発明は、光ピックアップ装置において、波長の異なる複数種類のレーザ光を同一方向に出射する光源と、これらレーザ光の光軸に沿って配され且つ前記レーザ光を反射することにより前記レーザ光の光路を変更する複数のミラーと、前記レーザ光の光路に挿脱されるよう前記ミラーを駆動するアクチュエータと、中心軸が互いに平行となるように配され且つ前記複数のミラーのうち対応するミラーによって反射された前記レーザ光がそれぞれ入射される複数の対物レンズとを有することを特徴とする。
【００２０】
請求項１０の発明は、請求項９に記載の光ピックアップ装置において、前記波長の異なるレーザ光の光路を互いに整合させる光学素子をさらに有することを特徴とする。
【００２１】
なお、上記請求項における「光路調整素子」は実施の形態におけるダイクロプリズム１０７、１０８が対応する。また、上記請求項における「光学素子」は実施の形態における光学素子１４１が対応する。ただし、以下の実施の形態は、本発明を特に限定するものではない。
【発明の効果】
【００２２】
請求項１ないし５の発明によれば、アクチュエータによってミラーをレーザ光の光軸方向に変位させることにより、レーザ光が入射される対物レンズを切り替えることができる。よって、図９のように偏光ビームスプリッタ２０を対物レンズ２５の真下に配置する必要がないため、光学系の設計の自由度を高めることができる。また、対物レンズ２５、２６間の間隔が偏光ビームスプリッタ２０とミラー２１の配置間隔によって制限されないため、図９の場合に比べ、対物レンズ間の距離を小さくすることができる。
【００２３】
請求項６ないし１０の発明によれば、アクチュエータによってミラーをレーザ光の光路に対し挿脱させることにより、レーザ光が入射される対物レンズを切り替えることができる。よって、図９のように偏光ビームスプリッタを対物レンズの真下に配置する必要がないため、光学系の設計の自由度を高めることができる。
【００２４】
本発明の特徴は、以下に示す実施の形態の説明により更に明らかとなろう。ただし、以下の実施の形態は、あくまでも一つの例示形態であって、本発明ないし各構成要件の用語の意義は、以下の実施の形態に記載されたものに制限されるものではない。
【発明を実施するための最良の形態】
【００２５】
以下、本発明の実施の形態につき図面を参照して説明する。
【実施例１】
【００２６】
まず、図１に実施例１に係る光ピックアップ装置の光学系を示す。なお、同図には、便宜上、光ディスク装置側の構成（再生回路３０１、サーボ回路３０２、制御回路３０３）が併せて示されている。
【００２７】
図示の如く、光ピックアップ装置の光学系は、半導体レーザ１０１、１０２、１０３と、コリメータレンズ１０４、１０５、１０６と、ダイクロプリズム１０７、１０８と、偏光ビームスプリッタ１０９と、λ／４板１１０と、ミラー１１１と、開口制限素子１１２と、対物レンズアクチュエータ１１３と、対物レンズ１１４、１１５と、集光レンズ１１６と、光検出器１１７を備えている。
【００２８】
半導体レーザ１０１、１０２、１０３は、それぞれ、赤外波長（７８０ｎｍ程度）、赤色波長（６５０ｎｍ程度）、青色波長（４００ｎｍ程度）のレーザ光を出射する。コリメータレンズ１０４、１０５、１０６は、それぞれ、半導体レーザ１０１、１０２、１０３から出射された各波長のレーザ光を平行光に変換する。
【００２９】
ダイクロプリズム１０７は、コリメータレンズ１０４から入射される赤外波長のレーザ光を透過するとともに、コリメータレンズ１０５から入射される赤色波長のレーザ光を反射する。ダイクロプリズム１０８は、ダイクロプリズム１０７から入射される赤外波長と赤色波長のレーザ光を透過するとともに、コリメータレンズ１０６から入射される青色波長のレーザ光を反射する。
【００３０】
なお、半導体レーザ１０１、１０２、１０３と、コリメータレンズ１０４、１０５、１０６と、ダイクロプリズム１０７、１０８は、ダイクロプリズム１０８を通過した後の各波長のレーザ光の光軸が互いに整合するように配置されている。
【００３１】
偏光ビームスプリッタ１０９は、ダイクロプリズム１０８から入射される各波長のレーザ光を略透過する。λ／４板１１０は、偏光ビームスプリッタ１０９から入射される各波長のレーザ光を円偏光に変換するとともに、ディスクからの反射光を、偏光ビームスプリッタ１０９から入射される際の偏光方向に直交する直線偏光に変換する。したがって、ディスクによって反射された各波長のレーザ光は偏光ビームスプリッタ１０９によって反射される。
【００３２】
ミラー１１１は、λ／４板１１０から入射される各波長のレーザ光を対物レンズ１１４、１１５側に反射する。ここで、ミラー１１１は、λ／４板１１０から入射されるレーザ光の光軸方向に変位可能に、アクチュエータ２０１によって駆動される。ミラー１１１とアクチュエータ２０１の詳細については、追って、図２を参照して説明する。
【００３３】
ミラー１１１は、半導体レーザ１０１または１０２が発光状態にあるとき、同図の実線の位置に位置づけられる。これにより、半導体レーザ１０１、１０２から出射されたレーザ光（赤外波長、赤色波長）は、ミラー１１１によって、対物レンズ１１４に向けて反射される。
【００３４】
開口制限素子１１２は、ミラー１１１によって反射されたレーザ光のうち赤外波長のレーザ光に対してのみ開口制限作用を付与する。開口制限素子１１２は、ディスク基板厚に応じてレーザ光の外周を拡散し、これにより、対物レンズ１１４に対するレーザ光の開口数（ＮＡ）を調整する。
【００３５】
なお、開口制限素子１１２としては、たとえば、回折素子を用いることができる。この回折素子には、赤外波長のレーザ光の外周部が入射する位置に波長選択性の回折パターンが形成されている。このパターンの回折作用によって、赤外波長のレーザ光のみ外周部を発散させる。
【００３６】
対物レンズアクチュエータ１１３は、対物レンズ１１４、１１５をフォーカス方向およびトラッキング方向に駆動する。ここで、対物レンズ１１４、１１５は、たとえば、共通のホルダに装着されており、このホルダがサーボ回路３０２からのサーボ信号に応じて駆動されることにより、フォーカス方向およびトラッキング方向に一体に駆動される。
【００３７】
対物レンズ１１４は、赤外波長および赤色波長のレーザ光を対象ディスク上に適正に収束させるよう設計されている。また、対物レンズ１１５は、青色波長のレーザ光を対象ディスク上に適正に収束させるよう設計されている。
【００３８】
なお、半導体レーザ１０３が発光状態にあるとき、ミラー１１１は、同図の破線位置に位置づけられる。これにより、半導体レーザ１０３から出射されたレーザ光（青色波長）は、ミラー１１１によって、対物レンズ１１５に向けて反射される。これにより、青色波長のレーザ光がディスク上に適正に収束される。
【００３９】
集光レンズ１１６は、ディスクによって反射された各波長のレーザ光を光検出器１１７上に収束させる。光検出器１１７は、受光したレーザ光の強度分布から再生ＲＦ信号、フォーカスエラー信号およびトラッキングエラー信号を導出するためのセンサーパターンを有している。各センサーからの信号は、再生回路３０１およびサーボ回路３０２に出力される。
【００４０】
再生回路３０１は、光検出器１１７から受信したセンサー信号を演算処理して再生ＲＦ信号を導出し、これを復調して再生データを生成する。
【００４１】
サーボ回路３０２は、光検出器１１７から受信したセンサー信号を演算処理してトラッキングエラー信号およびフォーカスエラー信号を導出し、これに基づいてトラッキングサーボ信号およびフォーカスサーボ信号を生成して対物レンズアクチュエータ１１３に出力する。また、制御回路３０３からの指令に応じて、モータ２０２に駆動信号を出力する。制御回路３０３は、キー入力部（図示せず）からの入力指令等に応じて各部を制御する。
【００４２】
図２は、アクチュエータ２０１の詳細を示す図である。
【００４３】
図示の如く、アクチュエータ２０１は、ミラーホルダ２０１ａと、シャフト２０１ｂと、ウォームギア２０１ｃと、舌片２０１ｄを備えている。
【００４４】
ミラーホルダ２０１ａは、ミラー１１１をレーザ光軸に対して４５度傾くように保持する。２本のシャフト２０１ｂは、レーザ光軸に並行に配置されるとともに、ミラーホルダ２０１ａをレーザ光軸に並行に移動可能に支持する。ウォームギア２０１ｃは、レーザ光軸に並行に配置されるとともに、モータ２０２にて回転駆動される。舌片２０１ｄは、ウォームギア２０１ｃに噛合する噛合部を下面に備え、且つ、この噛合部がウォームギア２０１ｃに圧接するようミラーホルダ２０１ａに固着されている。
【００４５】
図３は、モータ２０２を駆動したときのミラー１１１の移動状態を示す図である。
【００４６】
同図の破線位置にミラー１１１があるときにモータ２０２が駆動されると、舌片２０１ｄを介してモータ２０２の駆動力がミラーホルダ２０１ａに伝達される。これにより、ミラー１１１は、同図の実線位置に移動され、レーザ光が対物レンズ１１５に入射されるようになる。
【００４７】
なお、ミラー１１１が対物レンズ１１４または１１５に対応する位置に達したことは、たとえば、フォトカプラ等の位置検出器（図示せず）によって検出される。
【００４８】
以上のように、本実施例によれば、アクチュエータ２０１によってミラー１１１をレーザ光の光軸方向に変位させることにより、レーザ光が入射される対物レンズ１１４、１１５を適宜切り替えることができる。本実施例によれば、図９に示す場合ように偏光ビームスプリッタを対物レンズの真下に配置する必要がないため、光学系の設計の自由度を高めることができる。また、対物レンズ１１４、１１５間の間隔が偏光ビームスプリッタ等の他の光学系の配置による制限を受けないため、対物レンズ１１４、１１５間の間隔を小さくすることができる。
【００４９】
なお、本実施例では、対物レンズ１１４に赤外波長と赤色波長のレーザ光を入射させ、対物レンズ１１５に青色波長のレーザ光を入射させるようにしたが、各対物レンズに入射させるレーザ光は、これに限定されず、光ピックアップ装置の仕様に応じて適宜変更され得るものである。この場合、対物レンズ１１４、１１５は、対応するディスクにレーザ光を適正に収束できるよう設計される。
【００５０】
たとえば、ＢＤ（ブルーレイディスク）、ＨＤＤＶＤ（High Definition Digital Versatile Disc）、ＤＶＤ（Digital Versatile Disc）、ＣＤ（Compact Disc）の互換型光ピックアップの場合、対物レンズ１１４をＢＤ用とし、対物レンズ１１５をＨＤＤＶＤ／ＤＶＤ／ＣＤ用とすることができる。また、これに代えて、対物レンズ１１４をＢＤ／ＤＶＤ用とし、対物レンズ１１５をＨＤＤＶＤ／ＣＤ用とすることもできる。あるいは、対物レンズ１１４をＢＤ／ＣＤ用とし、対物レンズ１１５をＨＤＤＶＤ／ＤＶＤ用とすることもできる。この他、対物レンズ１１４をＢＤ／ＤＶＤ／ＣＤ用とし、対物レンズ１１５をＨＤＤＶＤ用とすることもできる。
【００５１】
図４は、ＢＤ／ＨＤＤＶＤ／ＤＶＤ／ＣＤ互換型光ピックアップの光学系の一例を示すものである。なお、図１に示す光学系と同一の素子には同一の符号が付されている。
【００５２】
この光学系では、半導体レーザ１０１、１０２から出射されるレーザ光（ＣＤ／ＤＶＤ用）を受光する光検出器１２６と、半導体レーザ１０３から出射されるレーザ光（ＢＤ／ＨＤＤＶＤ用）を受光する光検出器１２７が別々に配されている。また、対物レンズ１１４はＢＤ用とされ、対物レンズ１１５はＨＤＤＶＤ／ＤＶＤ／ＣＤ用とされている。
【００５３】
図において、１２０は、半導体レーザ１０１、１０２から入射されるレーザ光（赤外波長／赤色波長）を反射するとともにディスクから反射されたレーザ光（赤外波長／赤色波長）を透過する偏光ビームスプリッタである。１２１は、偏光ビームスプリッタ１２０によって反射されたレーザ光（赤外波長／赤色波長）を平行光に変換するコリメータレンズである。コリメータレンズ１２１は、赤外波長と赤色波長のレーザ光に対し色消し効果を実現できるよう、アッベ数と曲率（球面）が調整された複数枚のレンズを貼り合わせて形成されている。
【００５４】
１２２は、半導体レーザ１０３から入射されるレーザ光（青色波長）を透過するとともにディスクから反射されたレーザ光（青色波長）を反射する偏光ビームスプリッタである。１２３は、偏光ビームスプリッタ１２２を透過したレーザ光（青色波長）を平行光に変換するコリメータレンズである。１２４は、コリメータレンズ１２３から入射されたレーザ光を反射するミラーである。
【００５５】
１２５は、コリメータレンズ１２１から入射されるレーザ光（赤外波長／赤色波長）を反射するとともに、ミラー１２４から入射されるレーザ光（青色波長）を透過するダイクロミラーである。
【００５６】
１２６は、偏光ビームスプリッタ１２０から入射されるレーザ光を受光する光検出器である。この光検出器１２６は、受光したレーザ光の強度分布から再生ＲＦ信号、フォーカスエラー信号およびトラッキングエラー信号を導出するためのセンサーパターンを有している。各センサーからの信号は、図１に示す再生回路３０１およびサーボ回路３０２に出力される。
【００５７】
１２７は、偏光ビームスプリッタ１２２から入射されるレーザ光を受光する光検出器である。この光検出器１２７は、受光したレーザ光の強度分布から再生ＲＦ信号、フォーカスエラー信号およびトラッキングエラー信号を導出するためのセンサーパターンを有している。各センサーからの信号は、図１に示す再生回路３０１およびサーボ回路３０２に出力される。
【００５８】
同図に示す光学系において、ＢＤに対し記録／再生を行う場合には、ミラー１１１が対物レンズ１１４に対応する位置に移動され、半導体レーザ１０３が点灯される。また、ＨＤＤＶＤに対し記録／再生を行う場合には、ミラー１１１が対物レンズ１１５に対応する位置に移動され、半導体レーザ１０３が点灯される。さらに、ＣＤまたはＤＶＤに対し記録／再生を行う場合には、ミラー１１１が対物レンズ１１５に対応する位置に移動され、半導体レーザ１０１または１０２が点灯される。
【実施例２】
【００５９】
図５は、本発明に係る他の実施例の構成を示すものである。なお、図１に示す光学系と同一の素子には同一の符号が付されている。
【００６０】
本実施例では、ミラー１３０が、レーザ光の光路に対し挿脱される。ミラー１１１は、対物レンズ１１５に対応する位置に固定されている。ミラー１３０は、ミラー１１１の直前位置に配置され、支軸２０１ｅによって回動可能に軸支されている。ここで、ミラー１３０は、板バネ２０１ｆによって反時計方向に回動付勢されている。ミラー１３０に一体に配されたピン２０１ｇが制止片（図示せず）に当接することにより、ミラー１３０は、レーザ光の光軸に対して４５度の傾きをもって位置づけられる。さらに、ミラー１３０には、背面側（レーザ光の通過を妨げない位置）に磁性板２０１ｈが装着されている。この磁性板２０１ｈに対向する位置に電磁石２０３が配置されている。
【００６１】
電磁石２０３がＯＦＦのとき、ミラー１３０は、レーザ光の光軸に対し４５度傾いた状態でレーザ光の光路中に挿入される。従って、λ／４板１１０から向かってくるレーザ光は、ミラー１３０によって開口制限素子１１２方向に反射される。
【００６２】
電磁石２０３がＯＮのとき、ミラー１３０は、電磁石２０３に吸着され、レーザ光の光路から外れる。従って、λ／４板１１０から向かってくるレーザ光は、ミラー１１１によって対物レンズ１１５方向に反射される。
【００６３】
本実施例によれば、電磁石２０３によってミラー１３０をレーザ光の光路に挿脱させることにより、レーザ光が入射される対物レンズ１１４、１１５を適宜切り替えることができる。よって、図９のように偏光ビームスプリッタを対物レンズの真下に配置する必要がないため、光学系の設計の自由度を高めることができる。
【００６４】
なお、本実施例では、ミラー１１１とミラー１３０を並べて配置することから、図１の場合のように対物レンズ１１４、１１５間の間隔を無制限に近付けることはできない。しかし、図１の場合のように、シャフト２０１ｂとウォームギア２０１ｃを配置しなくとも良いため、ミラー駆動アクチュエータの簡素化を図ることができる。
【００６５】
なお、本実施例においても、当該光ピックアップ装置の仕様に応じて、対物レンズ１１４、１１５に入射するレーザ光を適宜変更することができる。このとき、対物レンズ１１４、１１５は、対応するディスクにレーザ光を適正に収束できるよう設計される。
【００６６】
図６は、ＢＤ／ＨＤＤＶＤ／ＤＶＤ／ＣＤ互換型光ピックアップの光学系の一例を示すものである。なお、図４に示す光学系と同一の素子には同一の符号が付されている。
【００６７】
図５の構成例では、電磁石２０３によってミラー１３０を駆動するようにしたが、図６の構成例では、モータ２０４によってミラー１３０を駆動するようにしている。ミラー１３０は、モータ２０４の回転軸に軸支されている。
【００６８】
モータ２０４の駆動に応じてミラー１２６がレーザ光の光路中に挿入する方向に移動されると、ミラー１３０が所期の位置に到達したタイミングにて、ミラー１３０に一体に配されたピン２０１ｇが制止片（図示せず）に当接する。これにより、ミラー１３０が、レーザ光の光軸に対して４５度の傾きをもって位置づけられる。
【００６９】
以上、本発明に係る実施例について説明したが、本発明の実施形態は上記のものに限定されるものではない。
【００７０】
たとえば、上記図１および図５に示す実施例では、波長毎に半導体レーザ１０１、１０２、１０３を配置し、ダイクロプリズム１０７、１０８にて、各波長のレーザ光の光軸を整合させるようにしたが、同一筐体内から異なる波長のレーザ光を同一方向に出射する半導体レーザを用いて光学系を構成するようにすることもできる。
【００７１】
図７および図８は、この場合の光学系の変更例を示すものである。なお、図７は、図１の光学系の変更例であり、図８は、図５の光学系の変更例である。
【００７２】
各図に示す光学系において、１４０は、同一筐体内から異なる波長のレーザ光を同一方向に出射する半導体レーザである。また、１４１は、各波長のレーザ光の光軸を整合させる光学素子である。光学素子１４１は、たとえば、回折格子によって構成することができる。この場合、光学素子１４１には、波長選択性の回折パターンが形成されている。光学素子１４１は、半導体レーザ１４０から出射されるレーザ光のうち、所定波長のレーザ光の光軸を、回折作用によって、他の波長のレーザ光の光軸に整合させる。なお、光軸補正をする必要がない場合、図７、図８の光学系から、光学素子１４１が省略される。
【００７３】
また、上記実施例では、波長の異なるレーザ光をそれぞれ対応する対物レンズに入射させるタイプの光ピックアップ装置を示したが、単一波長のレーザ光をディスク基板厚の差に応じて異なる対物レンズに入射させるタイプの光ピックアップ装置にも、適宜、本発明を適用することができる。この場合、光学系は、たとえば、図７、図８に示す光学系において、光学素子１４１を省略し、対物レンズ１４０を単一波長のレーザ光を出射するものに変更することにより実現され得る。
【００７４】
この他、本発明の実施の形態は、特許請求の範囲に示された技術的思想の範囲内において、適宜、種々の変更が可能である。
【図面の簡単な説明】
【００７５】
【図１】実施例１に係る光ピックアップ装置の構成例を示す図
【図２】実施例１に係るアクチュエータの構成例を示す図
【図３】実施例１に係るアクチュエータの駆動動作を説明する図
【図４】実施例１に係る光ピックアップ装置の変更例を示す図
【図５】実施例２に係る光ピックアップ装置の他の構成例を示す図
【図６】実施例２に係る光ピックアップ装置の変更例を示す図
【図７】他の実施の形態に係る光ピックアップ装置の構成例を示す図
【図８】他の実施の形態に係る光ピックアップ装置の構成例を示す図
【図９】従来例を適用した場合の光ピックアップ装置の構成例を示す図
【符号の説明】
【００７６】
１０１  半導体レーザ（赤外波長）
１０２  半導体レーザ（赤色波長）
１０３  半導体レーザ（青色波長）
１０７、１０８  ダイクロプリズム
１１１  ミラー
１１４、１１５  対物レンズ
１３０  ミラー
１４０  半導体レーザ（複数波長）
１４１  光学素子
２０１  アクチュエータ
２０２  モータ
２０３  電磁石
２０４  モータ
【図１】
2007257777.tif 000003
【図２】
2007257777.tif 000004
【図３】
2007257777.tif 000005
【図４】
2007257777.tif 000006
【図５】
2007257777.tif 000007
【図６】
2007257777.tif 000008
【図７】
2007257777.tif 000009
【図８】
2007257777.tif 000010
【図９】
2007257777.tif 000011